(57)【特許請求の範囲】
【請求項１】
排ガス中の窒素酸化物を無害化する排ガス処理方法において、還元剤としての窒素化合物及び炭化水素化合物を加熱装置で所定温度に昇温し、昇温後の窒素化合物及び炭化水素化合物を反応容器内に設けた還元剤吹込管の還元剤吹込部に供給すると共に、前記加熱装置で生じた燃焼ガスを前記還元剤吹込部に一体的に付設した燃焼ガス導入部に供給して、前記還元剤吹込部に供給された窒素化合物及び炭化水素化合物の温度を、前記燃焼ガス導入部に供給された燃焼ガスによって維持する排ガス処理方法。
【請求項２】
排ガス中の窒素酸化物を無害化する排ガス処理方法において、還元剤としての窒素化合物及び炭化水素化合物を加熱装置で所定温度に昇温し、昇温後の窒素化合物及び炭化水素化合物を反応容器内に設けた還元剤吹込管の還元剤吹込部に供給すると共に、前記加熱装置で生じた燃焼ガスを前記反応容器の上流側に供給して前記排ガスの温度を前記燃焼ガスによって昇温する排ガス処理方法。
【請求項３】
排ガス中の窒素酸化物を無害化する排ガス処理装置であって、還元剤としての窒素化合物及び炭化水素化合物を所定温度に昇温する加熱装置と、該加熱装置で所定温度に昇温された窒素化合物及び炭化水素化合物を反応容器内に噴出する還元剤吹込管の還元剤吹込部と、該還元剤吹込部に一体的に付設され、かつ、前記加熱装置で生じた燃焼ガスを導入する燃焼ガス導入部とから成る排ガス処理装置。
【請求項４】
前記還元剤吹込管を、前記反応容器内に櫛歯状に設けた請求項３記載の排ガス処理装置。
【請求項５】
前記還元剤吹込管を、管体と、該管体内に設けた隔壁と、該隔壁によって仕切られた管壁の一つに設けた還元剤噴出孔と、前記隔壁及び前記管壁を貫通する燃焼ガス噴出ノズルにより形成して成る請求項３又は４記載の排ガス処理装置。
【請求項６】
前記燃焼ガスを導入する外管内に還元剤を導入する内管を設け、更に、前記外管に燃焼ガス噴出孔を設けると共に、前記内管に、該内管と前記外管とを貫通する還元剤噴出ノズルを設けた請求項３又は４記載の排ガス処理装置。
【請求項７】
前記反応容器内に、環状形の還元剤吹込管を同心状に設けた請求項３記載の排ガス処理装置。
【請求項８】
排ガス中の窒素酸化物を無害化する排ガス処理装置において、還元剤としての窒素化合物及び炭化水素化合物を所定温度に昇温する加熱装置と、前記加熱装置で昇温された窒素化合物及び炭化水素化合物を反応容器内に噴出する還元剤吹込管と、前記加熱装置で生じた燃焼ガスを前記反応容器の上流側に供給する燃焼ガス供給部とから成る排ガス処理装置。
【請求項９】
前記反応容器内に、前記還元剤吹込管を櫛歯状に設けた請求項８記載の排ガス処理装置。
【請求項１０】
前記反応容器内に、環状形の還元剤吹込管を同心状に設けた請求項８記載の排ガス処理装置。
【発明の詳細な説明】
【技術分野】
【０００１】
本発明は、船舶や発電用ディーゼルエンジン等から排出される排ガス中の窒素酸化物を無害化する排ガス処理方法及び装置に関するものである。
【背景技術】
【０００２】
近年、バスやトラックなどの自動車用ディーゼルエンジンから排出されるパティキュレートマター（ＰＭ）や窒素酸化物（ＮＯｘ）の削減が大きな関心を集めているが、同様に船舶や発電用ディーゼルエンジン等から排出される排ガスや、ボイラー排ガス、プラントオフガス中の有害物質の除去も重要な課題となっている。
【０００３】
しかし、自動車用ディーゼルエンジンが硫黄分の含有量が低い軽油を燃料としているのに対し、船舶や発電用ディーゼルエンジン等は、Ａ重油又はＣ重油と言った硫黄分の含有量が高い燃料を使用するため、その排ガス中には、硫黄酸化物が多く含まれ、有害物質の除去処理に際して大きな障害となっている。
【０００４】
一般に、排ガスの脱硝方法としては、無触媒脱硝法と選択的還元触媒法（ＳＣＲ法）とが知られている。無触媒脱硝法は、アンモニア又は尿素などの窒素系還元剤による脱硝方法が広く知られているが、排ガス温度が９００〜１０００℃という高温状態でないと高活性が得られないため（例えば、特許文献１及び２参照。）、船舶や発電用ディーゼルエンジンなどから排出される２５０〜３５０℃程度の比較的低温の排ガスに対しては、排ガスを加熱して昇温させるなどの前処理が必要である。
【０００５】
しかし、大量の低温排ガスを加熱して所定の温度に昇温させるには、膨大な熱エネルギーが必要なことから処理コストの増大を招き、適用が困難であった。
【特許文献１】米国特許第６，０６６，３０３号明細書
【特許文献２】特開２００２−１３６８３７号公報
【発明の開示】
【発明が解決しようとする課題】
【０００６】
ところで、低温の排ガスを加熱して所定の温度に昇温する代わりに、アンモニア又は尿素などの窒素系還元剤や、プロパンや軽油などの炭化水素系還元剤を所定の温度に昇温すると、処理コストの低減が期待できるが、昇温後の窒素系還元剤や炭化水素系還元剤が低温の排ガスに曝されると、窒素系還元剤や炭化水素系還元剤の温度が低下して還元反応の活性が低下するという問題が発生する恐れがある。
【０００７】
本発明は、上記のような問題を解消するためになされたものであり、その目的とするところは、窒素系還元剤や炭化水素系還元剤を所定の温度に昇温すると共に、昇温後の窒素系還元剤や炭化水素系還元剤の温度を維持することができる排ガス処理方法及び装置を提供することにある。
【課題を解決するための手段】
【０００８】
上記目的を達成するため、請求項１に記載の発明は、排ガス中の窒素酸化物を無害化する排ガス処理方法において、還元剤としての窒素化合物及び炭化水素化合物を加熱装置で所定温度に昇温し、昇温後の窒素化合物及び炭化水素化合物を反応容器内に設けた還元剤吹込管の還元剤吹込部に供給すると共に、前記加熱装置で生じた燃焼ガスを前記還元剤吹込部に一体的に付設した燃焼ガス導入部に供給して、前記還元剤吹込部に供給された窒素化合物及び炭化水素化合物の温度を、前記燃焼ガス導入部に供給された燃焼ガスによって維持することを特徴とする。
【０００９】
請求項２に記載の発明は、排ガス中の窒素酸化物を無害化する排ガス処理方法において、還元剤としての窒素化合物及び炭化水素化合物を加熱装置で所定温度に昇温し、昇温後の窒素化合物及び炭化水素化合物を反応容器内に設けた還元剤吹込管の還元剤吹込部に供給すると共に、前記加熱装置で生じた燃焼ガスを前記反応容器の上流側に供給して前記排ガスの温度を前記燃焼ガスによって昇温することを特徴とする。
【００１０】
請求項３に記載の発明は、排ガス中の窒素酸化物を無害化する排ガス処理装置であって、還元剤としての窒素化合物及び炭化水素化合物を所定温度に昇温する加熱装置と、該加熱装置で所定温度に昇温された窒素化合物及び炭化水素化合物を反応容器内に噴出する還元剤吹込管の還元剤吹込部と、該還元剤吹込部に一体的に付設され、かつ、前記加熱装置で生じた燃焼ガスを導入する燃焼ガス導入部とから成ることを特徴とする。
【００１１】
請求項４に記載の発明は、請求項３記載の排ガス処理装置において、前記還元剤吹込管を、前記反応容器内に櫛歯状に設けている。
【００１２】
請求項５に記載の発明は、請求項３又は４記載の排ガス処理装置において、前記還元剤吹込管を、管体と、該管体内に設けた隔壁と、該隔壁によって仕切られた管壁の一つに設けた還元剤噴出孔と、前記隔壁及び前記管壁を貫通する燃焼ガス噴出ノズルにより形成している。
【００１３】
請求項６に記載の発明は、請求項３又は４記載の排ガス処理装置において、前記燃焼ガスを導入する外管内に還元剤を導入する内管を設け、更に、前記外管に燃焼ガス噴出孔を設けると共に、前記内管に、該内管と前記外管とを貫通する還元剤噴出ノズルを設けている。
【００１４】
請求項７に記載の発明は、請求項３記載の排ガス処理装置において、前記反応容器内に、環状形の還元剤吹込管を同心状に設けている。
【００１５】
請求項８に記載の発明は、排ガス中の窒素酸化物を無害化する排ガス処理装置において、還元剤としての窒素化合物及び炭化水素化合物を所定温度に昇温する加熱装置と、前記加熱装置で加熱された窒素化合物及び炭化水素化合物を反応容器内に噴出する還元剤吹込管と、前記加熱装置で生じた燃焼ガスを前記反応容器の上流側に供給する燃焼ガス供給部とから形成されている。
【００１６】
請求項９に記載の発明は、請求項８記載の排ガス処理装置において、前記反応容器内に、前記還元剤吹込管を櫛歯状に設けている。
【００１７】
請求項１０に記載の発明は、請求項８記載の排ガス処理装置において、前記反応容器内に、環状形の還元剤吹込管を同心状に設けている。
【発明の効果】
【００１８】
上記のように、請求項１に記載の発明は、排ガス中の窒素酸化物を無害化する排ガス処理方法において、還元剤としての窒素化合物及び炭化水素化合物を加熱装置で所定温度に昇温し、昇温後の窒素化合物及び炭化水素化合物を反応容器内に設けた還元剤吹込管の還元剤吹込部に供給すると共に、前記加熱装置で生じた燃焼ガスを前記還元剤吹込部に一体的に付設した燃焼ガス導入部に供給するので、還元剤吹込管の還元剤吹込部に供給された窒素化合物及び炭化水素化合物の温度が、還元剤吹込管の燃焼ガス導入部に供給された高温の燃焼ガスによって維持される。つまり、還元剤吹込管の燃焼ガス導入部に供給された高温の燃焼ガスによって還元剤吹込管の還元剤吹込部に供給された窒素化合物及び炭化水素化合物の活性が維持されることになる。
【００１９】
従って、過度のエネルギーを使用することなく、排ガス中の窒素酸化物を還元分解することが可能となった。
【００２０】
請求項２に記載の発明は、排ガス中の窒素酸化物を無害化する排ガス処理方法において、還元剤としての窒素化合物及び炭化水素化合物を加熱装置で所定温度に昇温し、昇温後の窒素化合物及び炭化水素化合物を反応容器内に設けた還元剤吹込管の還元剤吹込部に供給すると共に、前記加熱装置で生じた燃焼ガスを前記反応容器の上流側に供給して前記排ガスの温度を前記燃焼ガスによって昇温するので、過度のエネルギーを使用することなく、反応装置における還元脱硝作用の活性化を図ることができる。
【００２１】
請求項３に記載の発明は、排ガス中の窒素酸化物を無害化する排ガス処理装置であって、還元剤としての窒素化合物及び炭化水素化合物を所定温度に昇温する加熱装置と、該加熱装置で所定温度に昇温された窒素化合物及び炭化水素化合物を反応容器内に噴出する還元剤吹込管の還元剤吹込部と、該還元剤吹込部に一体的に付設され、かつ、前記加熱装置で生じた燃焼ガスを導入する燃焼ガス導入部とから形成したので、還元剤吹込管の還元剤吹込部に供給された窒素化合物及び炭化水素化合物の温度が、還元剤吹込管の燃焼ガス導入部に供給された高温の燃焼ガスによって維持される。つまり、還元剤吹込管の燃焼ガス導入部に供給された高温の燃焼ガスによって還元剤吹込管の還元剤吹込部に供給された窒素化合物及び炭化水素化合物の活性が維持されることになる。
【００２２】
従って、過度のエネルギーを使用することなく、排ガス中の窒素酸化物を還元分解することが可能となった。
【００２３】
請求項４に記載の発明は、請求項３記載の排ガス処理装置において、前記還元剤吹込管を、前記反応容器内に櫛歯状に設けたので、還元剤吹込管から噴出する窒素化合物及び炭化水素化合物と、排ガス中の窒素酸化物との接触の度合を均一化することができる。
【００２４】
請求項５に記載の発明は、請求項３又は４記載の排ガス処理装置において、前記還元剤吹込管を、管体と、該管体内に設けた隔壁と、該隔壁によって仕切られた管壁の一つに設けた還元剤噴出孔と、前記隔壁及び前記管壁を貫通する燃焼ガス噴出ノズルにより形成しているので、隔壁によって窒素化合物及び炭化水素化合物と燃焼ガスとの接触面積を増加することができるため、窒素化合物及び炭化水素化合物の温度低下を軽減できる。
【００２５】
請求項６に記載の発明は、請求項３又は４記載の排ガス処理装置において、前記燃焼ガスを導入する外管内に還元剤を導入する内管を設け、更に、前記外管に燃焼ガス噴出孔を設けると共に、前記内管に、該内管と前記外管とを貫通する還元剤噴出ノズルを設けているので、窒素化合物及び炭化水素化合物と燃焼ガスとの接触面積をより増加することができるため、窒素化合物及び炭化水素化合物の温度低下を軽減できる。
【００２６】
請求項７に記載の発明は、請求項３記載の排ガス処理装置において、前記反応容器内に、環状形の還元剤吹込管を同心状に設けているので、還元剤吹込管から噴出する窒素化合物及び炭化水素化合物と、排ガス中の窒素酸化物との接触の度合を均一化することができる。
【００２７】
請求項８に記載の発明は、排ガス中の窒素酸化物を無害化する排ガス処理装置において、還元剤としての窒素化合物及び炭化水素化合物を所定温度に昇温する加熱装置と、前記加熱装置で加熱された窒素化合物及び炭化水素化合物を反応容器内に噴出する還元剤吹込管と、前記加熱装置で生じた燃焼ガスを前記反応容器の上流側に供給する燃焼ガス供給部とから形成されているので、過度のエネルギーを使用することなく、反応装置における還元脱硝作用の活性化を図ることができる。
【００２８】
請求項９に記載の発明は、請求項８記載の排ガス処理装置において、前記反応容器内に、前記還元剤吹込管を櫛歯状に設けているので、還元剤吹込管から噴出する窒素化合物および炭化水素化合物と、排ガス中の窒素酸化物との接触の度合を均一化することができる。
【００２９】
請求項１０に記載の発明は、請求項８記載の排ガス処理装置において、前記反応容器内に、環状形の還元剤吹込管を同心状に設けているので、還元剤吹込管から噴出する窒素化合物及び炭化水素化合物と、排ガス中の窒素酸化物との接触の度合を均一化することができる。
【発明を実施するための最良の形態】
【００３０】
以下、本発明の実施の形態を図面を用いて説明する。
【００３１】
（１）第１の実施形態
先ず、本発明の第１の実施形態について説明する。
図１において、符号１はディーゼルエンジン、２はターボチャージャ、３はプラズマ照射装置、４は反応装置、７は加熱装置、８は予熱器、９〜１２は排気ダクトである。
【００３２】
上記反応装置４は、反応容器５及び還元剤吹込管６により構成されている。また、符号１３は還元剤を予熱器８の伝熱管８ａに供給する第１供給管、１４は予熱器８の伝熱管８ａで予熱された還元剤を加熱装置７の伝熱管７ａに供給する第２供給管、１５は加熱装置７で加熱された還元剤を還元剤吹込管６の還元剤吹込部６Ａに供給する第３供給管、１６は加熱装置７で生じた燃焼ガスを還元剤吹込管６の燃焼ガス導入部６Ｂに供給する燃焼ガス供給管である。この際、第３供給管１５及び燃焼ガス供給管１６は、図示しない断熱材によって被覆する。
【００３３】
上記ディーゼルエンジン１は、特に制限がなく、船舶や発電用ディーゼルエンジン、或いは自動車用ディーゼルエンジンであってもよい。また、ディーゼルエンジンに限らず、ボイラーなど、炉内脱硝法によって排ガス中の窒素酸化物を還元処理できるものも含まれる。
【００３４】
ディーゼルエンジンの燃料は、特に制限がなく、軽油、Ａ重油、Ｃ重油、ＤＭＥ等を使用することができる。Ａ重油は、ＪＩＳ規格（ＪＩＳ  Ｋ２２０５）において、１種１号に硫黄分０．５質量％以下、１種２号に硫黄分２．０質量％以下と規定され、Ｃ重油は、３種１号に硫黄分３．５質量％以下と規定されている。尚、船舶やディーゼル発電機等のディーゼルエンジンに使用されるＡ重油は、主に硫黄分が０．２質量％以下、Ｃ重油は、主に硫黄分が３．５質量％以下である。
【００３５】
還元剤としては、窒素化合物及び炭化水素化合物を適用する。窒素化合物は、アミンラジカルを生成し得るものであれば特に限定されないが、アンモニア、尿素、シアヌール酸、アミン類、ニトリル類等を使用することができ、とりわけ、アンモニア、尿素、シアヌール酸を使用することが好ましい。また、炭化水素化合物は、メタン、プロパン、ブタン、軽油、重油、ガソリン等を使用することができ、とりわけ、メタン、プロパン、ブタン、軽油、重油を使用することが好ましい。
【００３６】
上記プラズマ照射装置３は、一酸化窒素（ＮＯ）を選択的に酸化できる方式のものであれば、特に制限がない。例えば、マイクロ波放電、交流放電（例えば、パルス放電又はアナログ放電）、又は直流放電（例えば、火花放電、アーク放電、グロー放電、又はコロナ放電）など低温プラズマ照射を行なうことができる方式のものが好ましい。
【００３７】
低温プラズマ照射手段のプラズマ発生電極は、パルス放電によってプラズマを発生させるものが好ましく、例えば、ステンレス、鋼、カンタル、インコネル等を芯線とする同軸構造のものを好適例として挙げることができる。このようなプラズマ発生電極は、低エネルギーで一酸化窒素（ＮＯ）を二酸化窒素（ＮＯ2 ）に酸化することができる。
【００３８】
上記反応容器４の反応容器５は、図２に示すように、横断面が正方形又は長方形であり、その内部に多数の還元剤吹込管６が櫛歯状に設けられている。還元剤吹込管６は、図３に示すように、特殊な形状を呈し、中空円筒状の管体２０の内部は、長手方向に挿入した短冊状の隔壁２１によって二分されている。その上、隔壁２１の前方に位置する樋形状の管壁２２には、多数の還元剤噴出孔２３が管体２０の長手方向に一定の間隔で設けられている。また、前記還元剤噴出孔２３の間には、隔壁２１及び隔壁前方の管壁２２を貫通する燃焼ガス噴出ノズル２４を設けている。その上、隔壁２１の前方の部位を還元剤吹込部６Ａとし、隔壁２１の後方の部位を燃焼ガス導入部６Ｂとしている。なお、この還元剤吹込管６は、還元剤噴出孔２３及び燃焼ガス噴出ノズル２４が上流側を向くように反応容器５内に設置されている。
【００３９】
上記加熱装置７は、加熱炉又は燃焼炉であり、図示しないバーナーによって還元剤を７００〜１０００℃、より好ましくは８００〜９００℃に昇温するようになっている。尚、バーナーの代わりに電熱ヒータを適用した場合には、加熱装置７内の加熱空気を還元剤吹込管６の燃焼ガス導入部６Ｂに強制的に供給する。
【００４０】
次に、上述した排ガス処理装置の作用について説明する。
上記ディーゼルエンジン１より排出された排ガスｘは、図１に示すように、ターボチャージャ２及び排気ダクト９を経てプラズマ照射装置３に供給される。プラズマ照射装置３に供給された比較的低温（例えば、２５０〜３５０℃程度）の排ガスｘは、プラズマ照射処理により排ガスｘの中に含まれている一酸化窒素（ＮＯ）の一部が二酸化窒素（ＮＯ2 ）に酸化される。
【００４１】
プラズマ照射装置３によって排ガスｘ中の一酸化窒素（ＮＯ）の一部が二酸化窒素（ＮＯ2 ）に酸化された排ガスｘは、排気ダクト１０を経て反応装置４に供給される。
【００４２】
一方、窒素化合物としてのアンモニア（ＮＨ３）ａ、炭化水素化合物としてプロパン（Ｃ3 Ｈ8 ）ｂ及び清水（Ｈ２Ｏ）ｃは、第１供給管１３を経て予熱器８に供給される。予熱器８で予熱されたアンモニアａ、プロパンｂ及び清水ｃは、第２供給管１４を経て加熱装置７に供給され、所定の温度（例えば、７００〜１０００℃程度）に昇温される。加熱装置７で昇温された高温のアンモニアａ、プロパンｂ及び水蒸気ｃ’は、第３供給管１５を経て還元剤吹込管６の還元剤吹込部６Ａに供給される。
【００４３】
上記加熱器７では、図示しないバーナーによって燃料（例えば、プロパンや、軽油など）ｄが焚かれ、既に説明したように、アンモニアａ、プロパンｂ及び清水ｃを所定の温度（例えば、７００〜１０００℃程度）に昇温するのであるが、加熱後の高温の燃焼ガスｅ（例えば、９００〜１１００℃）は、燃焼ガス供給管１６を経て還元剤吹込管６の燃焼ガス導入部６Ｂに供給される。
【００４４】
このため、還元剤吹込管６の還元剤吹込部６Ａに供給されたアンモニアａ、プロパンｂ及び水蒸気ｃ’の温度が、還元剤吹込管６の燃焼ガス導入部６Ｂに供給された高温の燃焼ガスｅによって維持される。つまり、還元剤吹込管６の燃焼ガス導入部６Ｂに供給された高温の燃焼ガスｅによって還元剤吹込管６の還元剤吹込部６Ａに供給されたアンモニアａ及びプロパンｂの活性が維持されることになる。還元剤吹込管６の燃焼ガス導入部６Ｂに供給された高温の燃焼ガスｅは、還元剤吹込管６に設けた燃焼ガス噴出ノズル２４から反応容器５内に放出される。
【００４５】
還元剤吹込管６の還元剤吹込部６Ａに供給された高温（例えば、７００〜１０００℃程度）のアンモニアａ、プロパンｂ及び水蒸気ｃ’は、図３に示すように、還元剤吹込部６Ａの管壁２２に設けた多数の還元剤噴射孔２３から上流に向って噴出され、還元的脱硝反応によって窒素（Ｎ2 ）を生成させる。
即ち、
（１）炭化水素化合物の燃焼反応（ＨＣ＋Ｏ2 ）の際、ヒドロキシラジカル（ＯＨ＊）が生成する。
（２）ヒドロキシラジカルは、アンモニアに作用してアミンラジカル（ＮＨ2 ＊）を生成する。
ＮＨ3   ＋  ＯＨ＊  →  Ｈ2 Ｏ  ＋  ＮＨ2 ＊
（３）アミンラジカルと窒素酸化物（ＮＯ）との反応が起こり、窒素が生成する。
ＮＯ  ＋  ＮＨ2 ＊  →  Ｎ2   ＋  Ｈ2 Ｏ
【００４６】
つまり、窒素化合物であるアンモニアに加え、炭化水素化合物であるプロパンを積極的に添加し、ヒドロキシラジカルを生成することによってアミンラジカルの生成を促進し、高い脱硝性能を得ることが可能となる。
【００４７】
上記のように、反応装置４で無害化された排ガスｘ’は、排気ダクト１１、予熱器８及び排気ダクト１２を経て大気中に放出される。
【００４８】
この実施形態の場合、還元剤吹込管６は、図２に示すように、横１列に設けられているが、多数の還元剤吹込管６で構成された還元剤吹込管群を排ガスｘの流れに対して前後方向に多段に設けてもよい。その際、還元剤吹込管６は、千鳥状に配置するとよい。
【００４９】
また、還元剤吹込管６は、隔壁型と言えるものであるが、図４に示すように、２重管型の還元剤吹込管６ａを適用することもできる。この場合、燃焼ガスｅを導入する外管２６内に還元剤ａ，ｂを導入する内管２７を設け、更に、前記外管２６に燃焼ガス噴出孔２８を設けると共に、前記内管２７に、該外管２６と内管２７とを貫通する還元剤噴出ノズル２９を設けている。
【００５０】
また、反応装置４は、反応容器５の横断面が正方形又は長方形であるが、反応容器５の横断面が円形の場合には、図５に示すように、円筒状の反応容器５内に円環状形の還元剤吹込管６０を同心状に設ける。図６は、円環状形の還元剤吹込管６０の要部拡大図であり、直線型の還元剤吹込管６と同じ部品に同じ符号を付けて詳しい説明を省略する。
【００５１】
（２）第２の実施形態
次に、本発明の第２の実施形態について説明する。尚、本発明の第１の実施形態と同じ部品には同じ符号を付けて詳しい説明を省略する。
【００５２】
この発明では、図７に示すように、加熱装置７で所定温度に昇温されたアンモニア（窒素化合物）ａ及びプロパン（炭化水素化合物）ｂを第３供給管１５を経て反応容器５内に設けた単管式の還元剤吹込管６ｂに供給する一方、加熱装置７で生じた高温の燃焼ガスｅを燃焼ガス供給管１６を経て反応容器５の上流側に位置する排気ダクト１０内に供給するようになっている。
【００５３】
単管式の還元剤吹込管６ｂは、図９に示すように、中空円筒状の管体２０と、管体２０の長手方向に一定の間隔で設けた多数の還元剤噴出孔２３により形成されている。また、燃焼ガス供給管１６の先端には、単管式の還元剤吹込管６ｂと同様に形成された燃焼ガス供給部が設けられ、反応容器５の上流側に位置する排気ダクト１０内に燃焼ガスｅを噴出するようになっている。
【００５４】
反応容器５の上流側に位置する排気ダクト１０内に、加熱装置７で発生した高温の燃焼ガスｅ（例えば、９００〜１１００℃）を供給すると、ディーゼルエンジン１から排出された排ガスｘが２５０〜３５０℃程度から３０〜５０℃程度昇温され、反応装置５における還元脱硝作用の活性化を図ることができる。
【図面の簡単な説明】
【００５５】
【図１】本発明に係る排ガス処理装置の第１の実施形態を示す概略構成図である。
【図２】反応装置の横断面図である。
【図３】還元剤吹込管の斜視図である。
【図４】還元剤吹込管の他の一例を示す斜視図である。
【図５】還元剤吹込管の更に他の一例を示す斜視図である。
【図６】図５のＸ部分の拡大図である。
【図７】本発明に係る排ガス処理装置の第２の実施形態を示す概略構成図である。
【図８】反応装置の横断面図である。
【図９】還元剤吹込管の斜視図である。
【符号の説明】
【００５６】
ａ  窒素化合物
ｂ  炭化水素化合物
ｅ  燃焼ガス
ｘ  排ガス
５  反応容器
６  還元剤吹込管
６Ａ  還元剤吹込部
６Ｂ  燃焼ガス導入部
７  加熱装置
【図１】
0004676343.tif 000002
【図２】
0004676343.tif 000003
【図３】
0004676343.tif 000004
【図４】
0004676343.tif 000005
【図５】
0004676343.tif 000006
【図６】
0004676343.tif 000007
【図７】
0004676343.tif 000008
【図８】
0004676343.tif 000009
【図９】
0004676343.tif 000010